(57)【特許請求の範囲】
【請求項１】
容器の口部に打栓により嵌着されるキャップであって、
キャップは、頂壁と内周壁、環状の上壁と外周壁とを具備しており、
外周壁に上壁から下端まで延びる切裂き溝と、該切裂き溝と間隔を置いて中間部まで延びる切裂き溝を刻設し、二つの切裂き溝の間の上壁に、内周壁に沿って切断溝を刻設し、切断溝の外側の上壁周縁から連結片を延設し、該連結片に内周壁外周をめぐるよう配設された指掛けリングを連設したことを特徴とする容器のキャップ。
【請求項２】
頂壁の外周縁上端に膨出環を設け、指掛けリングを係止するようにしたことを特徴とする請求項１記載の容器のキャップ。
【請求項３】
頂壁の外周縁上端に膨出環を設け、指掛けリング内周面に複数の係止片を設け、該係止片を膨出環に係止させるようにしたことを特徴とする請求項１記載の容器のキャップ。
【請求項４】
指掛けリングに切断可能な連結片を介して接着部材を架設して、該接着部材を頂壁上面に溶着したことを特徴とする請求項１記載の容器のキャップ。
【発明の詳細な説明】
【０００１】
【発明の属する技術分野】
本発明は、打栓式キャップ、とくに使用開始時に簡単に開蓋し、そのまま廃棄できる打栓式キャップに関する。
【０００２】
【発明が解決しようとする課題】
打栓式キャップは、簡単に開蓋することはできないので、洗剤等の詰め替え容器、小容量の使い切り容器などリキャップ機能の不要な容器にも、殆どの場合ねじ式キャップが使用されていた。
【０００３】
しかしながら、ねじ式キャップの場合には、使用開始時の開蓋にあたって、気密性を保つため堅く密封されているときには回動に力が必要であり、何回か廻さなければならずキャップの回動も面倒であった。
【０００４】
また、外周壁の引き裂き可能な打栓式キャップも使用されているが、外周壁に設けた弱化ライン（切裂き溝）に沿って摘み部を外周壁上端に突出させたり、または下端に付けたりして、摘み部を引っ張り、外周壁を引き裂き、キャップを取り外すようにしているが、摘み部を大きくすることができないため使い勝手がよくないという問題があった。
【０００５】
さらにまた、摘み部を大きくして引っ張りやすくすると、キャップを被う密封包装をしないで店頭に並べた場合、故意に弱化ラインを引き裂かれる不正行為が行われる可能性もあった。
【０００６】
本発明は、上記の問題点を考慮して、使い切り容器のキャップとして、使用開始時に簡単に開蓋し、そのまま廃棄できる打栓式キャップを提供することを目的とする。
【０００７】
【課題を解決するための手段】
本発明は、上記の課題を解決するため、容器のキャップとして、容器の口部に打栓により嵌着されるキャップであって、キャップは、頂壁と内周壁、環状の上壁と外周壁とを具備しており、外周壁に上壁から下端まで延びる切裂き溝と、該切裂き溝と間隔を置いて中間部まで延びる切裂き溝を刻設し、二つの切裂き溝の間の上壁に、内周壁に沿って切断溝を刻設し、切断溝の外側の上壁周縁から連結片を延設し、該連結片に内周壁外周をめぐるよう配設された指掛けリングを連設したことを特徴とする構成を採用する。
【０００８】
指掛けリングの係止手段として、上記構成に頂壁の外周縁上端に膨出環を設け、指掛けリングを直接係止するようにしたこと、または、指掛けリング内周面に複数の係止片を設け、該係止片を膨出環に係止させるようにしたことを特徴とする構成を付加する。
【０００９】
別実施形態として、指掛けリングに切断可能な連結片を介して接着部材を架設して、該接着部材を頂壁上面に溶着したことを特徴とする構成を採用する。
【００１０】
【発明の実施の形態】
次に、本発明第１実施形態のキャップについて、図面を参照して説明する。
図１において、Ａは容器、Ｂは打栓式のキャップであり、容器Ａは、内容物を一回で注出することができる小容量の飲料、食品等の使い切り容器、或いは化粧料、洗剤などの詰め替え容器として使用される。
容器Ａの口部１外周下方には、係合突条２が設けられている。
【００１１】
キャップＢは、頂壁３と内周壁４、環状の上壁５と外周壁６とを具えている。
頂壁３の外周縁上端には、膨出環７が突設されており、内周壁４の下端から内周に沿って、口部１内周に嵌合する密封リング８が垂設されている。
【００１２】
外周壁６の外周には、図２に示すように、上壁５上端から下端まで延びる薄肉を残したＶ字状の切裂き溝９が刻設されており、該切裂き溝９から一定の間隔を置いて、上壁５上端から外周壁６の中間部まで延びるＶ字状の切裂き溝１０が刻設されている。
図２，３に示すように、切裂き溝９，１０の間の上壁５には、内周壁４に沿って切断溝１１が刻設されており、切断溝１１の外側から上壁５の周縁より外方に延びる湾曲変形可能な連結片１２が延設されている。
【００１３】
連結片１２の先端には、接続部を切欠部１３とした指掛けリング１４が連設されており、指掛けリング１４の内径は、内周壁４の外径よりやや大きく、膨出環７の外径より小さくなっている。
【００１４】
外周壁６の内周には、口部１の係合突条２の下側に係合する係合突条１５が設けられており、切裂き溝９，１０に対応する位置は切欠部１６となっている。
【００１５】
キャップＢの成形にあたっては、図３に示すように、指掛けリング１４は開いた状態で成形されるが、連結片１２が上壁５周縁部を基線として上方に湾曲されることによって、指掛けリング１４は、成形時の当初位置から矢印方向に廻動され、接続部側１４ａと自由端側１４ｂの下面がそれぞれ上壁５に接するとともに、内周面が外周壁６に接合し、膨出環７に係止され、図１，２に示す使用時の係止状態に反転される。
【００１６】
次に、キャップの使用態様と作用効果について説明する。
容器Ａには、内容液が充填された後、打栓によってキャップが被嵌される。
使用にあたっては、まず、指掛けリング１４の自由端側１４ｂを持って上方に引き上げ、膨出環７より取り外す。
その際、指掛けリング１４は、成形時の当初位置に復元するので、１８０゜反転する。
【００１７】
次に、指掛けリング１４内に手指を通し、図４に示すように、連結片１２より下方に引っ張ると、外周壁６は切断溝１１と切裂き溝９，１０に沿って切断され、次いで、指掛けリング１４を右方に廻すと、切裂き溝９によって外周壁６は下端まで切断され、さらに、指掛けリング１４を右上方に引っ張ると、外周壁６がめくれて係合突条１５が口部１の係合突条２から離れ、キャップＢは、容器Ａの口部１から簡単に取り外すことができる。
【００１８】
次に、指掛けリングの変形実施例について説明する。
前記実施形態では、指掛けリング１４が環状の上壁５の膨出環７に全周にわたって係合するようにしたが、図５に示すように、指掛けリング１４Ａの内周面に複数個の係止片１７を設け、係止片１７が膨出環７に係合するようにしてもよい。
その際、膨出環７の外周より指掛けリング１４Ａの内周の径をやや大きくする。
そのことによって、指掛けリング１４Ａの引き上げを容易にすることができる。
【００１９】
次に、第２実施形態について説明する。
本実施形態は、指掛けリングに切断可能な連結片を介して接着部材を取り付け、該接着部材を頂壁上面に接着したものである。
以下、相違点を中心に説明し、同一の構成部分については符号に添字ａを付して説明を省略する。
【００２０】
図６に示すように、キャップＢａは、前記第１実施形態と同様に、頂壁３ａと内周壁４ａ、上壁５ａと外周壁６ａとを有しており、容器口部に打栓により被嵌されている。
【００２１】
外周壁６ａの外周には、前記第１実施形態と同様に、薄肉を残して下端までの切裂き溝９ａと中間部までの切裂き溝１０ａが刻設されている。
両切裂き溝９ａ，１０ａの間の上壁５ａには、内周壁４ａに沿って切断溝１１ａが刻設されており、切断溝１１ａの外側に、上壁５ａの周縁より外方に延びる連結片１２ａが延設されている。
連結片１２ａの先端には、接続部に切欠部１３ａを設けた指掛けリング２０が連設されており、指掛けリング２０の内径は、内周壁４ａより大きくなっている。
【００２２】
指掛けリング２０は、前記第１実施形態と同様に、成形時には、図６に示すように開いた状態に成形されるが、連結片１２ａが上壁５ａの周縁部を基線として湾曲されることによって、指掛けリング２０の自由端側２０ａは、内周壁４ａ外周に沿って上壁５ａ上に接するよう反転可能となっている。
【００２３】
指掛けリング２０には、連結片２１を介して接着部材２２が架設されており、該接着部材２２の表面には、突条２３が突設されている。
接着部材２２は、指掛けリング２０の自由端側２０ａが反転されたときに、頂壁３ａ上面に接合され、超音波接着により突条２３が頂壁３ａ上面に接着される。
【００２４】
次に、本第２実施形態キャップの使用態様と作用効果について説明する。
キャップＢａの開蓋にあたっては、指掛けリング２０の自由端側２０ａを上方に引っ張りあげると、図７に示すように、連結片２１が切断され、指掛けリング２０は１８０゜廻動し、成形時の当初位置に復元する。
そこで、指掛けリング２０に手指を入れ下方に引っ張り、次いで右方に引き廻していくと、第１実施形態と同様に、キャップＢａを容器口部から簡単に取り外すことができる。
【００２５】
また、指掛けリング２０が引っ張り上げられ、連結片２１が切断されたときには、指掛けリング２０が復元し、成形時の状態に戻ろうとするので、商品の陳列中に故意または過失により指掛けリング２０が引き上げられ、連結片２１が切断されたときは、一個所であってもリングの復元によって外側から見てリングの変形が簡単に分かるので、不正行為の有無を識別することができる。
【００２６】
【発明の効果】
本発明は、上記のように構成されているから、次の効果を奏する。
打栓式キャップの外周壁に、下端および中間部まで延びる二つの切裂き溝を設け、指掛けリングを切裂き溝の間に配設するようにしたから、指掛けリングを持って下方に、次いで一方に引き廻していくことによって切裂き溝を切り開き、キャップを簡単に取り外すことができるようになった。
そのため、使い切り容器のキャップに、開きやすい打栓式キャップが使用できるようになった。
【００２７】
また、指掛けリングを切断能な連結片を介してキャップに取着した場合には、連結片が切断されたときに指掛けリングが復元変形するので、不正防止の有無を簡単に識別することができる。
【図面の簡単な説明】
【図１】本発明第１実施形態キャップの断面正面図である。
【図２】キャップの斜視図である。
【図３】成形時のキャップの説明図で、（ａ）は斜視図、（ｂ）は要部断面正面図である。
【図４】キャップ開蓋の説明図である。
【図５】  指掛けリングの別実施例の説明図である。
【図６】  第２実施形態キャップの説明図で、（ａ）は成形時のキャップの斜視図、（ｂ）は使用前キャップの斜視図である。
【図７】  キャップ開蓋の説明図である。
【符号の説明】
Ａ            容器
Ｂ、Ｂａ      キャップ
１            口部
２            係合突条
３、３ａ      頂壁
４、４ａ      内周壁
５、５ａ      上壁
６、６ａ      外周壁
７            膨出環
８            密封リング
９、９ａ、１０、１０ａ  切裂き溝
１１、１１ａ  切断溝
１２、１２ａ  連結片
１３、１３ａ  切欠部
１４、１４Ａ  指掛けリング
１４ａ        接続部側
１４ｂ        自由端側
１５          係合突条
１６          切欠部
１７          係止片
２０          指掛けリング
２０ａ        自由端側
２１          連結片
２２          接続部材
２３          突条
【図１】
0004278888.tif 000002
【図２】
0004278888.tif 000003
【図３】
0004278888.tif 000004
【図４】
0004278888.tif 000005
【図５】
0004278888.tif 000006
【図６】
0004278888.tif 000007
【図７】
0004278888.tif 000008